(57)【特許請求の範囲】
【請求項１】
接続基地局を検出する方法であって、
通信端末装置が移動しているときに前記通信端末装置と測定用通信装置との間で移動通信網を介した通信を行うことと、
前記通信端末装置又は前記測定用通信装置が、前記移動通信網を介した通信を行っているときに、前記通信端末装置が接続している接続基地局の識別情報と前記通信端末装置の位置情報とを所定の時間間隔で連続的に取得し、前記接続基地局の識別情報と前記通信端末装置の位置情報とを含む通信ログを記録することと、
サーバ又は前記通信端末装置が、前記通信ログにおける前記接続基地局の識別情報及び前記通信端末装置の位置情報と、複数の基地局の識別情報とその位置情報とが互いに対応付けられた基地局情報とに基づいて、前記通信端末装置の移動中の各位置について、前記通信端末装置が接続している接続基地局と前記通信端末装置との間の距離を算出することと、
前記サーバ又は前記通信端末装置が、前記接続基地局と前記通信端末装置との間の距離の変動率に基づいて、前記接続基地局が遠方飛来の接続基地局か否かを判定することとを含むことを特徴とする方法。
【請求項２】
請求項１の方法において、
前記サーバ又は前記通信端末装置が、前記接続基地局と前記通信端末装置との間の距離の変動率が所定の距離変動率閾値よりも大きい場合又は該距離変動率閾値以上の場合に、前記接続基地局が遠方飛来の接続基地局であると判定することを特徴とする方法。
【請求項３】
請求項１又は２の方法において、
前記サーバ又は前記通信端末装置が、前記接続基地局と前記通信端末装置との間の距離の変動率と前記距離の絶対値とに基づいて、前記接続基地局が遠方飛来の接続基地局か否かを判定することを特徴とする方法。
【請求項４】
請求項３の方法において、
前記サーバ又は前記通信端末装置が、前記接続基地局と前記通信端末装置との間の距離の変動率が所定の距離変動率閾値よりも大きい場合又は該距離変動率閾値以上の場合であって、且つ、前記接続基地局と前記通信端末装置との間の距離の絶対値が所定の絶対距離閾値より大きい場合又は該絶対距離閾値以上の場合に、前記接続基地局が遠方飛来の接続基地局であると判定することを特徴とする方法。
【請求項５】
請求項１乃至４のいずれかの方法において、
前記サーバ又は前記通信端末装置が、前記移動通信網を介した通信を行っているときに、前記通信端末装置が接続している接続基地局の識別情報及び前記通信端末装置の位置情報とともに、前記接続基地局からの下り信号の受信品質情報を連続的に取得し、前記接続基地局の識別情報と前記通信端末装置の位置情報と前記受信品質情報とを含む通信ログを記録することを特徴とする方法。
【請求項６】
請求項１乃至５のいずれかの方法において、
前記サーバ又は前記通信端末装置が、前記移動通信網を介した通信を行っているときに、隣接基地局の識別情報及び前記隣接基地局からの下り信号の受信品質情報を連続的に取得し、前記隣接基地局の識別情報と前記隣接基地局からの下り信号の受信品質情報とを含む通信ログを記録することを特徴とする方法。
【請求項７】
請求項１乃至６のいずれかの方法において、
前記サーバ又は前記通信端末装置が、前記通信端末装置の位置情報と前記接続基地局の識別情報と前記基地局情報とに基づいて、前記接続基地局の位置と前記接続基地局に接続している移動区間とを識別可能な表示形態で、前記通信端末装置の移動経路を地図上に表示することを更に含むことを特徴とする方法。
【請求項８】
請求項１乃至７のいずれかの方法において、
前記サーバ又は前記通信端末装置が、前記通信端末装置の通信ログに基づいて、基地局パラメータの最適化が必要な基地局を検出することと、
前記サーバ又は前記通信端末装置が、前記検出した基地局の基地局パラメータを、前記通信端末装置の通信ログに基づいて最適化することとを更に含むことを特徴とする方法。
【請求項９】
請求項８の方法において、
前記基地局パラメータは、基地局のアンテナの向き及び出力電力の少なくとも一方であることを特徴とする方法。
【請求項１０】
請求項１乃至９のいずれかの方法において、
前記通信端末装置と前記測定用通信装置との間の通信は、音声通信又はデータ通信であることを特徴とする方法。
【請求項１１】
接続基地局を検出するシステムであって、
移動通信網を介して互いに音声通信可能な通信端末装置及び測定用通信装置を備え、
前記通信端末装置及び前記測定用通信装置は、前記通信端末装置が移動しているときに前記通信端末装置と前記測定用通信装置との間で移動通信網を介した通信を行い、
前記通信端末装置は、前記移動通信網を介した通信を行っているときに、前記通信端末装置が接続している接続基地局の識別情報と前記通信端末装置の位置情報とを所定の時間間隔で連続的に取得し、前記接続基地局の識別情報と前記通信端末装置の位置情報とを含む通信ログを記録し、
前記通信ログにおける前記接続基地局の識別情報及び前記通信端末装置の位置情報と、複数の基地局の識別情報とその位置情報とが対応付けられた基地局情報とに基づいて、前記通信端末装置の移動中の各位置について、前記通信端末装置が接続している接続基地局と前記通信端末装置との間の距離を算出する算出手段と、
前記接続基地局と前記通信端末装置との間の距離の変動率に基づいて、前記接続基地局が遠方飛来の接続基地局か否かを判定する判定手段と、を備えることを特徴とするシステム。
【請求項１２】
請求項１１のシステムにおいて、
前記判定手段は、前記接続基地局と前記通信端末装置との間の距離の変動率が所定の距離変動率閾値よりも大きい場合又は該距離変動率閾値以上の場合に、前記接続基地局が遠方飛来の接続基地局であると判定することを特徴とするシステム。
【請求項１３】
請求項１１又は１２のシステムにおいて、
前記判定手段は、前記接続基地局と前記通信端末装置との間の距離の変動率と前記距離の絶対値とに基づいて、前記接続基地局が遠方飛来の接続基地局か否かを判定することを特徴とするシステム。
【請求項１４】
請求項１３のシステムにおいて、
前記判定手段は、前記接続基地局と前記通信端末装置との間の距離の変動率が所定の距離変動率閾値よりも大きい場合又は該距離変動率閾値以上の場合であって、且つ、前記接続基地局と前記通信端末装置との間の距離の絶対値が所定の絶対距離閾値より大きい場合又は該絶対距離閾値以上の場合に、前記接続基地局が遠方飛来の接続基地局であると判定することを特徴とするシステム。
【請求項１５】
請求項１１乃至１４のいずれかのシステムにおいて、
前記通信端末装置は、前記移動通信網を介した通信を行っているときに、前記通信端末装置が接続している接続基地局の識別情報及び前記通信端末装置の位置情報とともに、前記接続基地局からの下り信号の受信品質情報を連続的に取得し、前記接続基地局の識別情報と前記通信端末装置の位置情報と前記受信品質情報とを含む通信ログを記録することを特徴とするシステム。
【請求項１６】
請求項１１乃至１５のいずれかのシステムにおいて、
前記通信端末装置は、前記移動通信網を介した通信を行っているときに、隣接基地局の識別情報及び前記隣接基地局からの下り信号の受信品質情報を連続的に取得し、前記隣接基地局の識別情報と前記隣接基地局からの下り信号の受信品質情報とを含む通信ログを記録することを特徴とするシステム。
【請求項１７】
請求項１１乃至１６のいずれかのシステムにおいて、
前記システムに設けられたサーバ、又は、前記通信端末装置は、前記通信端末装置の位置情報と前記接続基地局の識別情報と前記基地局情報とに基づいて、前記接続基地局の位置と前記接続基地局に接続している移動区間とを識別可能な表示形態で、前記通信端末装置の移動経路を地図上に表示する手段を備えることを特徴とするシステム。
【請求項１８】
請求項１１乃至１７のいずれかのシステムにおいて、
前記通信端末装置から前記通信ログを取得する手段と、前記算出手段と、前記判定手段とを有するサーバを備えることを特徴とするシステム。
【請求項１９】
請求項１１乃至１８のいずれかのシステムにおいて、
前記通信端末装置と前記測定用通信装置との間の通信は、音声通信又はデータ通信であることを特徴とするシステム。
【発明の詳細な説明】
【技術分野】
【０００１】
本発明は、移動通信網において通信端末装置が接続している接続基地局を検出する方法及びそのシステムに関するものである。
【背景技術】
【０００２】
従来、無線ネットワークを利用する移動機から出力されるログ情報を収集する測定ツール、及び、その測定ツールで収集したログデータを解析することにより移動通信ネットワークの品質解析を行うソフトウェアが知られている（例えば、非特許文献１、２参照）。
【発明の概要】
【発明が解決しようとする課題】
【０００３】
移動通信網を介した通信端末装置による通信の通信品質を向上させるために、基地局パラメータ（例えば、基地局のアンテナの向き（チルト角、方位）、出力電力など）を最適化することが重要である。この基地局パラメータの最適化を実現するために、通信端末装置が移動する様々な位置において通信端末装置が接続している基地局（以下、適宜「接続基地局」という。）を検出し、その接続基地局に関する基地局接続問題を把握する必要がある。このような基地局接続問題として、通信端末装置の近くに基地局が存在しているにもかかわらず、その近くの基地局との間に建物などの障害物があることにより通信端末装置が遠方にある基地局に接続してしまう「遠方飛来」という問題がある。このような遠方飛来という問題があると、通信端末装置は適切な基地局に接続できず（適切なセルをつかむことができず）、通信品質の向上を図ることができない。
【０００４】
しかしながら、上記従来のツール及びソフトウェアでは、基地局間距離が異なる様々な地域において、上記遠方飛来によって接続している接続基地局を精度よく検出することができず、また、上記遠方飛来の基地局に接続している通信端末装置の位置を検出することができない、という課題がある。
【課題を解決するための手段】
【０００５】
本発明の一態様に係る方法は、接続基地局を検出する方法であって、通信端末装置が移動しているときに前記通信端末装置と測定用通信装置との間で移動通信網を介した通信を行うことと、前記移動通信網を介した通信を行っているときに、前記通信端末装置が接続している接続基地局の識別情報と前記通信端末装置の位置情報とを所定の時間間隔で連続的に取得し、前記接続基地局の識別情報と前記通信端末装置の位置情報とを含む通信ログを記録することと、前記通信ログにおける前記接続基地局の識別情報及び前記通信端末装置の位置情報と、複数の基地局の識別情報とその位置情報とが互いに対応付けられた基地局情報とに基づいて、前記通信端末装置の移動中の各位置について、前記通信端末装置が接続している接続基地局と前記通信端末装置との間の距離を算出することと、前記接続基地局と前記通信端末装置との間の距離の変動率に基づいて、前記接続基地局が遠方飛来の接続基地局か否かを判定することとを含む。
前記方法において、前記接続基地局と前記通信端末装置との間の距離の変動率が所定の距離変動率閾値よりも大きい場合又は該距離変動率閾値以上の場合に、前記接続基地局が遠方飛来の接続基地局であると判定してもよい。
また、前記方法において、前記接続基地局と前記通信端末装置との間の距離の変動率と前記距離の絶対値とに基づいて、前記接続基地局が遠方飛来の接続基地局か否かを判定してもよい。
また、前記方法において、前記接続基地局と前記通信端末装置との間の距離の変動率が所定の距離変動率閾値よりも大きい場合又は該距離変動率閾値以上の場合であって、且つ、前記接続基地局と前記通信端末装置との間の距離の絶対値が所定の絶対距離閾値より大きい場合又は該絶対距離閾値以上の場合に、前記接続基地局が遠方飛来の接続基地局であると判定してもよい。
また、前記方法において、前記移動通信網を介した通信を行っているときに、前記通信端末装置が接続している接続基地局の識別情報及び前記通信端末装置の位置情報とともに、前記接続基地局からの下り信号の受信品質情報を連続的に取得し、前記接続基地局の識別情報と前記通信端末装置の位置情報と前記受信品質情報とを含む通信ログを記録してもよい。
また前記方法において、前記移動通信網を介した通信を行っているときに、隣接基地局の識別情報及び前記隣接基地局からの下り信号の受信品質情報を連続的に取得し、前記隣接基地局の識別情報と前記隣接基地局からの下り信号の受信品質情報とを含む通信ログを記録してもよい。
また、前記方法において、前記通信端末装置の位置情報と前記接続基地局の識別情報と前記基地局情報とに基づいて、前記接続基地局の位置と前記接続基地局に接続している移動区間とを識別可能な表示形態で、前記通信端末装置の移動経路を地図上に表示することを更に含んでもよい。
また、前記方法において、前記通信端末装置の通信ログに基づいて、基地局パラメータの最適化が必要な基地局を検出することを更に含んでもよい。
また、前記方法において、前記検出した基地局の基地局パラメータを、前記通信端末装置の通信ログに基づいて最適化することを更に含んでもよい。
また、前記方法において、前記基地局パラメータは、基地局のアンテナの向き及び出力電力の少なくとも一方であってもよい。
また、前記方法において、前記通信端末装置と前記測定用通信装置との間の通信は、音声通信又はデータ通信であってもよい。
【０００６】
本発明の他の態様に係るシステムは、接続基地局を検出するシステムであって、移動通信網を介して互いに音声通信可能な通信端末装置及び測定用通信装置を備え、前記通信端末装置及び前記測定用通信装置は、前記通信端末装置が移動しているときに前記通信端末装置と前記測定用通信装置との間で移動通信網を介した通信を行い、前記通信端末装置は、前記移動通信網を介した通信を行っているときに、前記通信端末装置が接続している接続基地局の識別情報と前記通信端末装置の位置情報とを所定の時間間隔で連続的に取得し、前記接続基地局の識別情報と前記通信端末装置の位置情報とを含む通信ログを記録し、前記通信ログにおける前記接続基地局の識別情報及び前記通信端末装置の位置情報と、複数の基地局の識別情報とその位置情報とが互いに対応付けられた基地局情報とに基づいて、前記通信端末装置の移動中の各位置について、前記通信端末装置が接続している接続基地局と前記通信端末装置との間の距離を算出する算出手段と、前記接続基地局と前記通信端末装置との間の距離の変動率に基づいて、前記接続基地局が遠方飛来の接続基地局か否かを判定する判定手段と、を備えることを特徴とするシステム。
前記システムにおいて、前記判定手段は、前記接続基地局と前記通信端末装置との間の距離の変動率が所定の距離変動率閾値よりも大きい場合又は該距離変動率閾値以上の場合に、前記接続基地局が遠方飛来の接続基地局であると判定してもよい。
また、前記システムにおいて、前記判定手段は、前記接続基地局と前記通信端末装置との間の距離の変動率と前記距離の絶対値とに基づいて、前記接続基地局が遠方飛来の接続基地局か否かを判定してもよい。
また、前記システムにおいて、前記判定手段は、前記接続基地局と前記通信端末装置との間の距離の変動率が所定の距離変動率閾値よりも大きい場合又は該距離変動率閾値以上の場合であって、且つ、前記接続基地局と前記通信端末装置との間の距離の絶対値が所定の絶対距離閾値より大きい場合又は該絶対距離閾値以上の場合に、前記接続基地局が遠方飛来の接続基地局であると判定してもよい。
また、前記システムにおいて、前記通信端末装置は、前記移動通信網を介した通信を行っているときに、前記通信端末装置が接続している接続基地局の識別情報及び前記通信端末装置の位置情報とともに、前記接続基地局からの下り信号の受信品質情報を連続的に取得し、前記接続基地局の識別情報と前記通信端末装置の位置情報と前記受信品質情報とを含む通信ログを記録してもよい。
また、前記システムにおいて、前記移動通信網を介した通信を行っているときに、隣接基地局の識別情報及び前記隣接基地局からの下り信号の受信品質情報を連続的に取得し、前記隣接基地局の識別情報と前記隣接基地局からの下り信号の受信品質情報とを含む通信ログを記録してもよい。
また、前記システムにおいて、前記通信端末装置の位置情報と前記接続基地局の識別情報と前記基地局情報とに基づいて、前記接続基地局の位置と前記接続基地局に接続している移動区間とを識別可能な表示形態で、前記通信端末装置の移動経路を地図上に表示する手段を備えてもよい。
また、前記システムにおいて、前記通信端末装置の通信ログに基づいて、基地局パラメータの最適化が必要な基地局を検出する手段を備えてもよい。
また、前記システムにおいて、前記検出した基地局の基地局パラメータを、前記通信端末装置の通信ログに基づいて最適化する手段を備えてもよい。
また、前記システムにおいて、前記基地局パラメータは、基地局のアンテナの向き及び出力電力の少なくとも一方であってもよい。
また、前記システムにおいて、前記通信端末装置から前記通信ログを取得する手段と、前記算出手段と、前記判定手段とを有するサーバを備えてもよい。
また、前記システムにおいて、前記通信端末装置と前記測定用通信装置との間の通信は、音声通信又はデータ通信であってもよい。
【発明の効果】
【０００７】
本発明によれば、基地局間距離が異なる場合でも遠方飛来によって接続している接続基地局を精度よく検出することができるとともに、その遠方飛来の基地局に接続している通信端末装置の位置を検出することができる。
【図面の簡単な説明】
【０００８】
【図１】本発明の実施形態に係る通信システム全体の要部構成の一例を示す説明図。
【図２】本実施形態に係る通信システムにおける通信端末装置による音声通信の通信品質測定の一例を示すシーケンス図。
【図３】本実施形態に係る通信システムにおいて配信・解析サーバに表示された地図上の通信端末装置の移動経路における接続基地局の変動の一例を示す説明図。
【発明を実施するための形態】
【０００９】
以下、図面を参照して本発明の実施形態について説明する。
図１は、本発明の実施形態に係る通信システム全体の要部構成の一例を示す説明図である。本実施形態の通信システムは、ユーザが利用可能な通信端末装置１００と、通信端末装置１００による移動通信網（携帯電話網）２００を介した音声通信やデータ通信の評価に関する処理を行う通信品質測定システム４００とを含む。通信品質測定システム４００は、単一のサーバやネットワーク装置で構成してもよいし、複数のサーバやネットワーク装置を組み合わせて構成してもよい。
【００１０】
通信品質測定システム４００は、測定用通信装置としての音声通信装置４１０と、第１のサーバである配信・解析サーバ（「測定サーバ」又は「スケジュールサーバ」ともいう。）４２０と、第２のサーバである測定用通信装置としてのデータ通信サービス提供サーバ（以下「データ通信サーバ」という。）４１５とを備えている。音声通信装置４１０及びデータ通信サーバ４１５は、通信品質測定を行うときに通信端末装置１００と通信を行い所定の網側通信ログを記録することができる網側通信装置（ネットワーク装置）である。
【００１１】
通信端末装置１００は、基地局２１０を含む移動通信網２００と、固定電話網３００とを介して、通信品質測定システム４００の音声通信装置４１０と音声通信することができる。
【００１２】
また、通信端末装置１００は、上記基地局２１０を含む移動通信網２００又はＷｉＦｉ（Wireless Fidelity）などの無線ＬＡＮのアクセスポイント装置５１０を介してインターネット５００にアクセスし、通信品質測定システム４００の配信・解析サーバ４２０との間で各種データを送受信したり、音声通信やデータ通信の通信品質測定の測定設定時間を含む測定条件の情報（測定スケジュール）を受信したりすることができる。
【００１３】
また、通信端末装置１００は、移動通信網２００のパケット交換網を介して、又は、パケット交換網及びインターネット５００を介して、データ通信サーバ４１５や他の通信端末装置と、ＶｏＩＰ（Voice over Internet Protocol）やＶｏＬＴＥ（Voice over LTE）等による音声通信を行ったりＷｅｂ通信やストリーミングなどを行ったり各種データ通信を行ったりすることができる。
【００１４】
また、通信端末装置１００は、上記基地局２１０を含む移動通信網２００又はＷｉＦｉ（Wireless Fidelity）などの無線ＬＡＮのアクセスポイント装置５１０を介してインターネット５００にアクセスし、配信・解析サーバ４２０との間で各種データを送受信したり、コンテンツ提供サーバ６００から音楽などのコンテンツをダウンロードしたりすることができる。
【００１５】
通信端末装置１００は、例えば音声通信可能な携帯電話機、スマートフォン、ＰＨＳなどの移動通信端末やタブレットＰＣであり、図示しない無線中継装置としての基地局や交換機などを有する移動通信網２００を介して、通信先と音声通信やデータ通信を行うことができる。
【００１６】
例えば、通信端末装置１００は、移動通信網２００の無線通信エリアとしてのセルに在圏しているときに、他の移動通信網のセルに在圏している接続されている携帯電話機、スマートフォン、ＰＨＳなどの移動通信端末やタブレットＰＣなどの通信端末装置と間で音声通信やデータ通信を行うことができる。
【００１７】
また、通信端末装置１００は、移動通信網２００のセルに在圏しているときに、固定電話網３００を介して、音声通信先としての通信品質測定システム４００の音声通信装置４１０との間で音声通信したり、インターネット５００を介して通信品質測定システム４００のデータ通信サーバ４１５や配信・解析サーバ４２０との間でデータ通信（ＶｏＩＰやＶｏＬＴＥのコールを含む）することができる。
【００１８】
ここで、上記セルは、例えば互いに大きさが異なるマクロセル、マイクロセル、フェムトセル、ピコセル等の各種セルのいずれかである。
【００１９】
通信端末装置１００は、例えば、アンテナ、送信増幅器、受信増幅器、無線信号処理部、ベースバンド信号処理部、アプリケーション実行管理部、小型マイクなどからなる音声入力装置、スピーカー、レシーバ、振動発生器などからなる音声出力装置、表示手段としてのＬＣＤなどの表示部、主制御装置などで構成される。また、通信端末装置１００は、現在位置取得手段として、ＧＰＳを用いて自身の現在位置の情報を取得するＧＰＳ受信部を備える。また、通信端末装置１００は、ＣＣＤやＣＭＯＳ等のカメラデバイスなどからなる撮像部や、ジャイロセンサ、加速度センサ、磁気センサ等からなる姿勢検知部を備えてもよい。
【００２０】
主制御装置は、例えばＭＰＵ（Micro Processing Unit）などのマイクロプロセッサや、ＲＡＭ、ＲＯＭなどのメモリで構成され、予め組み込まれた所定の制御プログラムに基づいて各部を制御する。例えば、主制御装置は、所定の制御プログラムが実行されることにより、移動通信網２００及び固定電話網３００を介した音声通信装置４１０との間における音声通信の処理及びその制御、移動通信網２００及びインターネット５００を介したサーバ（配信・解析サーバ４２０、データ通信サーバ４１５）との間における各種データの送受信処理及びその制御、配信・解析サーバ４２０からの測定設定時間を含む測定条件の情報（測定スケジュール）の受信及びその制御、コンテンツ提供サーバ６００との間の音楽などのコンテンツのダウンロード及びその制御などを行うことができる。また、主制御装置は、音声品質の評価値の計算などの音声通信評価処理、接続基地局の検出、遠方飛来などの基地局接続問題の判定及びそれらに関する表示を行うようにしてもよい。
【００２１】
また、通信端末装置１００は、主制御装置のネイティブ環境上で各種アプリケーションのプログラムを実行したり、アプリケーション実行管理部で構築される仮想環境上で各種アプリケーションのプログラムを実行したりすることができる。ここで、「アプリケーション」（以下、適宜「アプリ」と略す。）とは、音声通信評価処理のほか、電話、録音、ブラウザ、カメラ、検索、メール、情報配信、カレンダー、時計、音楽再生、地図表示、データフォルダ、メッセージの通信、動画再生等の様々な用途それぞれに応用することができるソフトウェアを意味し、「アプリケーションソフトウェア」とも呼ばれる。また、「アプリケーション」は、各種言語で開発された実行プログラムのファイルや、プログラム実行時等に用いられたり参照されたりする設定情報及び画像などのファイルなどの集合体である。
【００２２】
アプリケーション実行管理部は、例えば、アプリケーションの実行に用いられるプログラムモジュールやライブラリを管理する。また、アプリケーション実行管理部は、Ａｎｄｒｏｉｄ（登録商標）アプリケーション、ｉＯＳ（登録商標）アプリケーション、Ｗｉｎｄｏｗｓ（登録商標）アプリケーションなどの複数種類のアプリケーションのいずれか一つ又は二以上を実行するためのフレームワーク（例えば、Ａｎｄｒｏｉｄフレームワーク、ｉＯＳ  フレームワーク、など）や、Ｄａｌｖｉｋ（登録商標）  ＶＭやＪａｖａ（登録商標）  ＶＭなどの仮想実行環境（仮想マシン）を構築する。また、アプリケーション実行管理部は、複数のアプリケーションを並列実行することができるマルチタスク機能を有するように構成されている。
【００２３】
音声通信装置４１０は、例えば、架電サーバ、固定電話、自動音声応答装置（ＩＶＲ）等であり、移動通信網２００及び固定電話網３００を介して、通信端末装置１００と通信可能に構成されている。また、音声通信装置４１０は、移動通信網２００又は図示しない専用回線を介して、配信・解析サーバ４２０と通信可能に構成されている。
【００２４】
音声通信装置４１０は、前記測定条件を満たす所定のタイミングに、移動通信網２００を介して通信端末装置１００との音声通信を行う手段として機能する。
【００２５】
例えば、音声通信装置４１０は、上記測定条件を満たす所定のタイミングに発信してきた通信端末装置１００からの通常の音声通信の発呼に応答して、音声通信測定用（音声通信評価用）のテスト信号を通信端末装置１００に送信する音声自動応答を行う。
【００２６】
また、音声通信装置４１０は、上記測定条件を満たす所定のタイミングに、通信端末装置１００に対して通常の音声通信の自動発呼を行い、応答した通信端末装置１００に音声通信測定用（音声通信評価用）のテスト信号を送信してもよい。
【００２７】
データ通信サーバ４１５は、移動通信網２００を介して、又は、移動通信網２００及びインターネット５００を介して、通信端末装置１００と通信可能に構成されている。また、データ通信サーバ４１５は、移動通信網２００又は図示しない専用回線を介して、配信・解析サーバ４２０と通信可能に構成されている。
【００２８】
データ通信サーバ４１５は、前記測定条件を満たす所定のタイミングに、移動通信網２００を介して通信端末装置１００とのデータ通信を行う手段として機能する。
【００２９】
例えば、データ通信サーバ４１５は、上記所定のタイミングに発信してきた通信端末装置１００からのＶｏＩＰやＶｏＬＴＥ等による音声通信の発呼に応答して、音声通信測定用（音声通信評価用）のテスト信号を通信端末装置１００に送信する音声自動応答を行う。また、データ通信サーバ４１５は、上記所定のタイミングに発信してきた通信端末装置１００からのテストデータ取得要求に応答して、通信品質測定用のテストデータを通信端末装置１００に送信する。
【００３０】
なお、データ通信サーバ４１５は、上記測定条件を満たす所定のタイミングに、通信端末装置１００に対するプッシュ型の通信により、ＶｏＩＰやＶｏＬＴＥ等による音声通信測定用（音声通信評価用）のテスト信号又は通信品質測定用のテストデータを通信端末装置１００に送信してもよい。
【００３１】
また、通信端末装置１００、音声通信装置４１０及びデータ通信サーバ４１５は互いに時間同期した状態になっている。例えば、通信端末装置１００、音声通信装置４１０及びデータ通信サーバ４１５はそれぞれ、移動通信網２００やインターネット５００に接続されたＮＴＰ（Network Time Protocol）サーバ６１０と通信することにより時間同期処理を行うことができる。また、各装置やサーバにおける時間同期処理は、ＧＰＳ信号を受信して行ったり、他の方法で行ったりしてもよい。
【００３２】
配信・解析サーバ４２０は、音声通信装置４１０、データ通信サーバ４１５及び通信端末装置１００それぞれと通信可能に構成されている。配信・解析サーバ４２０は、接続基地局の検出、遠方飛来などの基地局接続問題の判定、遠方飛来などの基地局接続問題の発生場所の特定及びそれらに関する表示、音声通信評価などに関する各種処理を行うサーバである。例えば、配信・解析サーバ４２０は、通信端末装置１００が接続している接続基地局の検出、接続基地局の検出、遠方飛来などの基地局接続問題の判定及びそれらに関する表示を行ったり、音声品質の評価値を計算したり、移動通信網２００を介した音声通信の異常切断や片通話の発生の有無を互いに判別して測定したり、通話中の無音発生の有無を判別したり、その無音発生の場所を特定したりすることができる。
【００３３】
また、配信・解析サーバ４２０は、音声通信装置４１０、データ通信サーバ４１５及び通信端末装置１００それぞれから受信した時間情報、通信端末装置の位置情報、接続基地局の識別情報、受信信号の信号強度などを含む通信ログの情報、接続基地局の検出、遠方飛来などの基地局接続問題の判定、遠方飛来などの基地局接続問題の発生場所の特定及びそれらに関する表示に用いられる基地局情報や閾値情報（距離変動率閾値、絶対距離閾値）、接続基地局の検出結果、接続基地局の検出、遠方飛来などの基地局接続問題の判定及びそれらの表示データ、音声通信品質評価用のテスト信号の音源ファイル、音声品質の評価値、音声通信の異常切断や片通話の測定結果、通話中の無音発生の有無を判別結果、その無音発生場所の特定結果の情報など格納して管理したり、これらの情報について各種統計処理や分析処理を行ったりすることができる。
【００３４】
上記基地局情報は、複数の基地局の識別情報とその位置情報（例えば、経度及び緯度の情報、又は住所表記の情報）とが互いに対応付けられた情報である。基地局の識別情報としては、例えば３Ｇ（ＷＣＤＭＡ（登録商標））ネットワークの場合のＲＮＣ（Radio Network Controller）ＩＤやセルＩＤなどの基地局ＩＤ、ＬＴＥネットワークの場合のｅＮｏｄｅＢ  ＩＤやセクターＩＤなどの基地局ＩＤが挙げられる。
【００３５】
また、配信・解析サーバ４２０は、通信品質測定を実行する時刻を指定する測定スケジュール等の測定条件の情報や、測定対象の通信品質の指標値の種類を指定する測定内容の情報を記憶し、その測定条件や測定内容の情報の新規登録、修正、削除などの管理処理を行う。
【００３６】
また、配信・解析サーバ４２０は、移動通信網２００を介して通信可能な通信端末装置１００に、通信品質の測定条件や測定内容を含む情報を配信する手段として機能する。また、配信・解析サーバ４２０は、音声通信装置４１０及びデータ通信サーバ４１５それぞれに、通信品質の測定条件や測定内容を含む情報を配信する手段としても機能する。
【００３７】
例えば、配信・解析サーバ４２０は、予め設定した所定のタイミング又は任意のタイミングに、最新の測定スケジュール等の測定条件の情報を、移動通信網２００を介して通信端末装置１００に配信することができる。この場合、通信端末装置１００は、配信・解析サーバ４２０から受信した測定条件を満たす所定のタイミングに、移動通信網２００を介して音声通信装置４１０又はデータ通信サーバ４１５との通信を行う。
【００３８】
また、配信・解析サーバ４２０は、予め設定した所定のタイミング又は任意のタイミングに、移動通信網２００又は図示しない専用回線を介して音声通信装置４１０及びデータ通信サーバ４１５それぞれに、最新の測定スケジュール等の測定条件を含む情報を配信することができる。この場合、音声通信装置４１０及びデータ通信サーバ４１５は、配信・解析サーバ４２０から受信した測定条件を満たす所定のタイミングに、移動通信網２００を介して通信端末装置１００との通信を行う。
【００３９】
また、配信・解析サーバ４２０は、移動通信網２００を介して通信可能な通信端末装置１００から端末側の通信ログを受信する手段として機能する。また、配信・解析サーバ４２０は、音声通信装置４１０及びデータ通信サーバ４１５それぞれから通信ログを受信する手段として機能する。
【００４０】
なお、配信・解析サーバ４２０は複数のサーバで構成してもよい。例えば、上記測定時間を含む測定条件の情報を配信する配信サーバと、接続基地局の検出、遠方飛来などの基地局接続問題の判定及びそれらに関する表示や、音声通信品質の評価に関する各種処理を行う解析サーバとを、別々に設けてもよい。
【００４１】
また、音声通信装置４１０、データ通信サーバ４１５及び配信・解析サーバ４２０はそれぞれ、例えば、ＭＰＵやメモリ等を有するコンピュータ装置、外部通信インターフェース部などのハードウェアを用いて構成され、所定のプログラムが実行されることにより接続基地局の検出及び遠方飛来の判定や音声通信評価などのための各種処理を行うことができる。
【００４２】
上記移動通信網２００を介した通信端末装置１００による通信の通信品質を向上させるために、基地局パラメータ（例えば、基地局のアンテナの向き（チルト角、方位）、出力電力など）を最適化することが重要である。この基地局パラメータの最適化を実現するために、通信端末装置１００の様々な位置において通信端末装置１００が接続している接続基地局を検出し、基地局への接続に関する様々な基地局接続問題を把握する必要がある。この基地局接続問題としては、例えば、遠方飛来、弱電、干渉、ピンポンハンドオーバー（ＨＯ）等がある。上記遠方飛来は、通信端末装置１００の近くに基地局が存在しているにもかかわらず、その近くの基地局との間に建物などの障害物があることにより通信端末装置１００が遠方にある基地局に接続してしまう問題である。また、上記弱電は、通信端末装置１００が接続している基地局から受信する電波の電界強度が弱いという問題である。また、上記干渉は、通信端末装置１００がセル境界エリアに位置している場合などにおいて、通信端末装置１００が接続している基地局から希望信号を受信しているときに他の基地局からの送信信号の干渉を受ける問題である。また、ピンポンＨＯは、通信端末装置１００がセル境界エリアに位置している場合などにおいて、通信端末装置１００が接続する基地局が高い頻度で切り替わるように基地局間のハンドオーバーを繰り返す問題である。このような基地局接続問題があると、通信端末装置１００は適切な基地局に接続できず（適切なセルをつかむことができず）、通信品質の向上を図ることができないおそれがある。
【００４３】
そこで、本実施形態の通信システムでは、以下に示すように、移動通信網２００を介した通信サービスが提供されているエリアにおける基地局接続問題を把握するため、通信端末装置１００が移動した状態で測定される通信品質測定時の通信端末装置１００における通信ログを用いて、接続基地局の検出、遠方飛来などの基地局接続問題の判定及びそれらに関する表示を行っている。
【００４４】
本実施形態の接続基地局の検出及び判定を伴う音声通信品質測定の一例において、通信端末装置１００の主制御装置、アンテナ、送信増幅器、受信増幅器、無線信号処理部、ベースバンド信号処理部などは、通信端末装置１００が移動しているときに通信端末装置１００と測定用通信装置（音声通信装置４１０、データ通信サーバ４１５）との間で移動通信網２００を介した通信を行う手段、及び、移動通信網２００を介した通信を行っているときに通信端末装置１００が接続している接続基地局の識別情報と通信端末装置１００の位置情報と接続基地局からの下り信号の受信品質情報とを所定の時間間隔で連続的に取得する手段としても機能する。
また、通信端末装置１００の主制御装置は、移動通信網２００を介した音声通話やデータ通信を行うときに、接続基地局の識別情報と通信端末装置１００の位置情報と接続基地局からの信号の受信品質情報とを含む通信ログを記録する手段としても機能する。この通信ログには、遠方飛来基地局への接続の発生原因の分析に利用できる、隣接基地局の識別情報及びその隣接基地局からの信号の受信品質情報を取得して記録してもよい。
また、音声通信装置４１０のコンピュータ装置及び外部通信インターフェース部は、予め設定した音声通信の測定設定時間に基づいて移動通信網２００を介した通信端末装置１００又は音声通信装置４１０からの発呼により通信端末装置１００との間で音声通信を行う手段、及び、移動通信網２００を介した音声通話を行うときに通信ログを記録する手段としても機能する。
また、データ通信サーバ４１５のコンピュータ装置及び外部通信インターフェース部は、予め設定したデータ通信の測定設定時間に基づいて移動通信網２００を介して通信端末装置１００との間でデータ通信を行う手段、及び、移動通信網２００を介したデータ通話を行うときに通信ログを記録する手段としても機能する。
また、配信・解析サーバ４２０のコンピュータ装置及び外部通信インターフェース部は、通信端末装置１００から通信ログを受信して取得する手段、その通信ログにおける接続基地局の識別情報及び通信端末装置の位置情報と、基地局情報とに基づいて、通信端末装置１００の移動中の各位置について、通信端末装置１００が接続している接続基地局と通信端末装置との間の距離を算出する手段、並びに、その接続基地局と通信端末装置との間の距離の変動率に基づいて、接続基地局が遠方飛来の接続基地局か否かを判定する手段としても機能する。
【００４５】
ここで、上記接続基地局と通信端末装置１００との間の距離（以下、適宜「接続基地局との距離」という。）の変動率は、通信品質測定時における通信端末装置１００が移動しているときの接続基地局との距離の変化の程度を示すパラメータであり、例えば次のように定義される。例えば、通信品質測定時における所定の時間間隔で連続してＮ回取得された通信ログに基づいて算出された接続基地局との距離をＤｉ（ｉ＝１・・・Ｎ）とすると、接続基地局との距離の変動率ΔＤｉは（Ｄｉ−Ｄｉ−１）／Ｄｉ−１で定義される。
【００４６】
また、上記通信ログにおける接続基地局の識別情報としては、例えば３Ｇ（ＷＣＤＭＡ）ネットワークの場合のＲＮＣＩＤやセルＩＤなどの基地局ＩＤ、ＬＴＥネットワークの場合のｅＮｏｄｅＢ  ＩＤやセクターＩＤなどの基地局ＩＤが挙げられる。
【００４７】
また、上記通信ログにおける通信端末装置１００の位置情報としては、前述の通信端末装置１００のＧＰＳ受信部で取得された通信端末装置１００の緯度及び経度の現在位置情報が挙げられる。この位置情報は、緯度及び経度で表された現在位置の位置精度や、通信端末装置１００の移動速度を含めてもよい。
【００４８】
また、上記受信品質情報としては、例えば、３Ｇ（ＷＣＤＭＡ）ネットワークの場合の受信信号コード電力（ＲＳＣＰ：Received Signal Code Power）、域内の電力密度で割ったチップあたりの受信エネルギー（Ｅｃ／Ｎｏ：Received energy per chip divided by the power density in the band）又は受信信号強度インジケータ（ＲＳＳＩ： Received Signal Strength Indicator）や、ＬＴＥネットワークの場合の基準信号受信電力（ＲＳＲＰ：Reference Signal Received Power）、基準信号受信品質（ＲＳＲＱ：Reference Signal Received Quality）、受信信号強度インジケータ（ＲＳＳＩ）が挙げられる。
【００４９】
次に、本実施形態に係る通信システムにおける通信品質測定時の通信ログを用いた接続基地局の検出、遠方飛来等の基地局接続問題の判定及びそれらに関する表示の例について説明する。
図２は、本実施形態に係る通信システムにおける通信端末装置１００による音声通信の通信品質測定の一例を示すシーケンス図である。なお、本例は、通信品質測定の測定条件として、通信品質測定を実行する時間を指定する測定設定時間を含む情報を、通信端末装置１００及び音声通信装置４１０に配信している。また、本例では、通信端末装置１００は、通信品質測定処理を行うための通信品質測定アプリが予めインストールされている。また、通信端末装置１００及び音声通信装置４１０は、図示しないＮＴＰサーバやＧＰＳ信号等を利用して、互いに時間同期されている。また、通信端末装置１００は、通信品質測定アプリが予め起動されて常時バックグランド動作の状態になっている。
【００５０】
図２において、まず、配信・解析サーバ４２０は、通信品質測定の測定設定時間（例えば、発信時刻及び通話時間）を含む測定条件（以下「測定スケジュール」という。）の情報を、通信端末装置１００及び音声通信装置４１０に送信する。
【００５１】
表１は、配信・解析サーバ４２０から送信される測定スケジュールの情報の一例を示している。この例では、測定スケジュールを識別して管理するためのスケジュールＩＤ（スクジュール管理番号）と、測定設定時間（発信時刻及び通話時間）の情報と、通信品質測定を行う通信の発信元及び発信先それぞれの電話番号及びタイプの情報とを含んでいる。
【表１】
0006541592.tif 000002
【００５２】
通信端末装置１００は、配信・解析サーバ４２０から受信した測定スケジュールの情報に基づいて、測定設定時間の指定された発信時刻に近づいたタイミングになると通信ログの記録を開始する。
【００５３】
また、音声通信装置４１０は、配信・解析サーバ４２０から受信した測定スケジュールの情報に基づいて、測定設定時間の指定された発信時刻に近づいたタイミングになると、通信ログの記録を開始する。なお、音声通信装置４１０では、通信ログの記録を常時実行しておいてもよい。
【００５４】
音声通信装置４１０は、上記所定の発信時刻になると、移動通信網２００の交換機２０５及び固定電話網３００を介して、上記測定スケジュールで発信先として指定された通信端末装置１００の電話番号宛に発呼する自動発信を実行する。交換機２０５は、音声通信装置４１０からの発信を受けると、リングバックトーンの応答を音声通信装置４１０へ送信するとともに、固定電話網３００及び移動通信網２００を介して通信端末装置１００に発呼する。
【００５５】
通信端末装置１００は交換機２０５からの発呼を着信すると、その着信に対する応答を、交換機２０５を介して音声通信装置４１０に送信する。音声通信装置４１０は、通信端末装置１００からの応答を受信すると、交換機２０５を介して通信端末装置１００と音声通信装置４１０との間に音声通信回線が確立されて両者間で通話可能な状態になる。
【００５６】
なお、音声通信の通信品質を測定するときの通信端末装置１００と音声通信装置４１０との間の通話は、例えば、通信端末装置１００又は音声通信装置４１０に予め保存されているテスト用の音源ファイルを再生し、両者間でテスト用の音声信号を送受信する。
【００５７】
また、本実施形態において、上記音声通信を行っている通信端末装置１００は、音声通信中の所定時間間隔ごとに（例えば、１秒などの数秒ごとに）、通信端末装置１００の場所情報（現在位置情報、位置精度、移動速度）と、接続基地局の基地局情報（基地局ＩＤ、受信品質情報）とを連続的に取得し、日時情報とともに、通信ログに記録している。
【００５８】
その後、上記所定の測定設定時間で指定されている発信時刻から通話時間（表１の例では１５０秒）が経過したタイミングで音声通信装置４１０から交換機２０５側に切断要求が送信されることにより切断処理が実行され、音声通信が終了し、通信端末装置１００及び音声通信装置４１０はそれぞれ通信ログの記録を終了する。
【００５９】
表２及び表３はそれぞれ通信端末装置１００及び音声通信装置４１０に記録される通信ログの例を示している。
【表２】
0006541592.tif 000003
【表３】
0006541592.tif 000004
【００６０】
表２に示す通信端末装置１００の通信ログは、スケジュールＩＤ毎に、発信時刻（日時欄の１行目）、通話時間（音声通信時間）及び現在位置の測定データと、発信元の電話番号と、発信先（自分自身）の電話番号と、接続成否の情報と、端末場所情報（ＧＰＳ位置情報、位置精度、移動速度）と、接続基地局情報（基地局ＩＤ、受信信号強度）とを含んでいる。端末場所情報はＧＰＳ信号に受信して取得することができ、接続基地局情報の基地局ＩＤは、接続基地局から受信する報知情報から取得することができる。
【００６１】
更に、表２に示す通信端末装置１００の通信ログは、各スケジュールＩＤの音声通信について、音声通信中の所定時間間隔ごとに（表２の例では、１秒ごとに）、端末場所情報（ＧＰＳ位置情報、位置精度、移動速度）と接続基地局情報（基地局ＩＤ、受信信号強度）とを連続的に取得し、通信ログに記録している。
【００６２】
一方、表３に示す音声通信装置４１０の通信ログは、スケジュールＩＤ毎に、着信時刻及び通話時間（音声通信時間）の測定データと、発信元の電話番号と、発信先（自分自身）の電話番号と、接続成否の情報とを含んでいる。
【００６３】
通信端末装置１００及び音声通信装置４１０それぞれにおいて記録された通話ログは配信・解析サーバ４２０に送信される。
【００６４】
上記通信ログを受信して取得した後、配信・解析サーバ４２０は、通信端末装置１００からの通信ログに含まれる接続基地局の基地局ＩＤ及び通信端末装置１００の位置情報と、前述の基地局情報とに基づいて、通信端末装置１００の移動中の各位置ｉについて接続基地局との距離Ｄｉを算出する。
【００６５】
更に、配信・解析サーバ４２０は、上記算出した接続基地局との距離Ｄｉの変動率（（Ｄｉ−Ｄｉ−１）／Ｄｉ−１）に基づいて、接続基地局が遠方飛来の接続基地局か否かを判定する。例えば、配信・解析サーバ４２０は、接続基地局との距離Ｄｉの変動率ΔＤｉ（＝（Ｄｉ−Ｄｉ−１）／Ｄｉ−１）［％］が所定の距離変動率閾値Ｄｔｈ１（例えば８０［％］）よりも大きい場合（ΔＤｉ＞Ｄｔｈ１の場合）に、接続基地局が遠方飛来の接続基地局であると判定する。
【００６６】
また、大都市圏のように基地局間の距離が短い場合は、移動通信端末１００が移動するときの接続基地局との距離Ｄｉの変動率の変化が小さい。そのため、基地局間の距離が短い場合の遠方飛来の接続基地局の判定精度をより高めるため、配信・解析サーバ４２０は、上記算出した接続基地局との距離Ｄｉの変動率（（Ｄｉ−Ｄｉ−１）／Ｄｉ−１）とその距離Ｄｉの絶対値｜Ｄｉ｜とに基づいて、接続基地局が遠方飛来の接続基地局か否かを判定してもよい。例えば、配信・解析サーバ４２０は、接続基地局との距離Ｄｉの変動率ΔＤｉ（＝（Ｄｉ−Ｄｉ−１）／Ｄｉ−１）［％］が距離変動率閾値Ｄｔｈ１（例えば８０［％］）よりも大きい場合（ΔＤｉ＞Ｄｔｈ１の場合）であり、且つ、接続基地局との距離Ｄｉの絶対値｜Ｄｉ｜が所定の絶対距離率閾値Ｄｔｈ２（例えば１０［ｋｍ］）よりも大きい場合（｜Ｄｉ｜＞Ｄｔｈ２の場合）に、接続基地局が遠方飛来の接続基地局であると判定してもよい。
【００６７】
なお、上記接続基地局との距離Ｄｉの変動率ΔＤｉと距離変動率閾値Ｄｔｈ１以とを比較して遠方飛来の接続基地局であるか否かの判定に用いる判定式は、上記ΔＤｉ＞Ｄｔｈ１の代わりにΔＤｉ≧Ｄｔｈ１を用いたり、上記｜Ｄｉ｜＞Ｄｔｈ２の代わりに｜Ｄｉ｜≧Ｄｔｈ２を用いたりしてもよい。
【００６８】
また、上記遠方飛来の接続基地局であるか否かの判定に加えて、上記通信ログに基づいて、弱電、干渉、ピンポンハンドオーバー（ＨＯ）などの遠方飛来以外の基地局接続問題の判定を行ってもよい。例えば、通信端末装置１００からの通信ログに含まれる接続基地局からの受信信号の信号強度が所定の閾値よりも小さい場合又は所定の閾値以下の場合に、弱電の接続基地局であると判定してもよい。また、通信端末装置１００からの通信ログに含まれる接続基地局からの受信信号に対する受信品質情報（例えば、ＬＴＥの場合のＲＳＲＱやＷＣＤＭＡの場合のＥｃ／Ｎｏ）の値が所定の閾値よりも低い場合又は所定の閾値以下の場合に、干渉を強く受ける接続基地局であると判定してもよい。また、通信端末装置１００からの通信ログに含まれる基地局ＩＤに基づき、接続基地局が他の基地局にハンドオーバーした後、所定の時間内に接続基地局が元の基地局にハンドオーバーして戻った場合、ピンポンハンドオーバー（ＨＯ）が発生したと判定してもよい。
【００６９】
図３は、本実施形態に係る通信システムにおいて配信・解析サーバ４２０に表示された地図７００上の通信端末装置１００の移動経路７１０における接続基地局の変動の一例を示す説明図である。図３における記号「△」は接続基地局の位置であり、その記号中のアルファベットＡ〜Ｉは、通信品質測定時の移動中に通信端末装置１００が接続した接続基地局の識別記号である。また、図３中の通信端末装置１００の移動経路７１０における区間Ａ〜Ｉはそれぞれ、移動中の通信端末装置１００が基地局Ａ〜Ｉに接続している区間を示している。
【００７０】
図３の地図表示において、通信端末装置１００の移動経路７１０における区間Ｈ及びＩそれぞれでは、通信端末装置１００が接続すべき適切な基地局が基地局Ｇであるにもかかわらず、通信端末装置１００が遠方飛来の基地局Ｈ，Ｉに接続していることを地図上で容易に確認することができる。また、区間Ｇ、Ｈ及びＧが連続しているところは、通信端末装置１００が基地局Ｇに連続して接続すべき区間であるにもかかわらず、ピンポンハンドオーバー（ＨＯ）が発生していることを容易に確認することができる。
【００７１】
以上の通信品質測定及び地図表示により、遠方飛来などの基地局接続問題を検出した場合は、その基地局接続問題の原因になっている基地局の基地局パラメータ（例えば、基地局のアンテナの向き（チルト角、方位）、出力電力など）を調整して最適化することにより、上記検出した基地局接続問題を解消することができる。
【００７２】
なお、上記実施形態の図２の例では、通信端末装置１００と音声通信装置４１０との間の音声通信について通信品質測定を行った場合について説明したが、本発明は、通信端末装置１００とデータ通信サーバ４１５との間のデータ通信について通信品質測定を行った場合にも同様に適用することができる。
【００７３】
以上、本実施形態によれば、通信品質測定時の移動中の通信端末装置１００で得られた通信ログを用いて接続基地局との距離の変動率を算出し、その接続基地局との距離Ｄｉの変動率ΔＤｉに基づいて、接続基地局が遠方飛来の接続基地局か否かを判定することにより、基地局間距離が異なる場合でも遠方飛来によって接続している接続基地局を精度よく検出することができる。
特に、本実施形態によれば、接続基地局との距離Ｄｉの変動率ΔＤｉとその距離Ｄｉの絶対値｜Ｄｉ｜とに基づいて、接続基地局が遠方飛来の接続基地局か否かを判定することにより、測定対象エリアが大都市などの基地局間の短いエリアであっても、遠方飛来によって接続している接続基地局を精度よく検出することができる。
また、本実施形態によれば、接続基地局の識別情報及び通信端末装置１００の位置情報とともに、接続基地局からの下り信号の受信品質情報を連続的に取得して記録した通信ログを用いることにより、通信端末装置１００が弱電の基地局に接続している基地局接続問題を検出することもできる。
また、本実施形態によれば、隣接基地局の識別情報及びその隣接基地局からの下り信号の受信品質情報を連続的に取得して記録した通信ログを用いることにより、遠方飛来基地局接続の発生原因を分析することもできる。
また、本実施形態によれば、接続基地局の位置とその接続基地局に接続している移動区間とを識別可能な表示形態で、通信端末装置１００の移動経路７１０を地図上に表示することにより、遠方飛来などの基地局接続問題の発生状況と発生場所を地図上で容易に確認することができる。
また、本実施形態によれば、上記通信端末装置１００の通信ログに基づいて、基地局パラメータの最適化が必要な基地局を検出し、その検出した基地局の基地局パラメータ（例えば、基地局のアンテナの向き（チルト角、方位）、出力電力など）を調整して最適化することにより、上記検出した基地局接続問題を解消することができる。
【００７４】
なお、本明細書で説明された通信端末装置１００、音声通信装置４１０、配信・解析サーバ４２０それぞれにおける処理工程及び構成要素は、前述の手段のほか、様々な手段によって実装することができる。例えば、これらの処理工程及び構成要素は、ハードウェア、ファームウェア、ソフトウェア、又は、それらの組み合わせで実装されてもよい。
【００７５】
ハードウェア実装については、実体（例えば、各種無線通信装置、ＮｏｄｅＢ、通信端末装置、サーバ、ゲートウェイ、交換機、コンピュータ、ハードディスクドライブ装置、又は、光ディスクドライブ装置）において上記工程及び構成要素を実現するために用いられる処理ユニット等の手段は、１つ又は複数の、特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書で説明された機能を実行するようにデザインされた他の電子ユニット、コンピュータ、又は、それらの組み合わせの中に実装されてもよい。
【００７６】
また、ファームウェア及び／又はソフトウェア実装については、上記構成要素を実現するために用いられる処理ユニット等の手段は、本明細書で説明された機能を実行するプログラム（例えば、プロシージャ、関数、モジュール、インストラクション、などのコード）で実装されてもよい。一般に、ファームウェア及び／又はソフトウェアのコードを明確に具体化する任意のコンピュータ／プロセッサ読み取り可能な媒体が、本明細書で説明された上記工程及び構成要素を実現するために用いられる処理ユニット等の手段の実装に利用されてもよい。例えば、ファームウェア及び／又はソフトウェアコードは、例えば制御装置において、メモリに記憶され、コンピュータやプロセッサにより実行されてもよい。そのメモリは、コンピュータやプロセッサの内部に実装されてもよいし、又は、プロセッサの外部に実装されてもよい。また、ファームウェア及び／又はソフトウェアコードは、例えば、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、電気的消去可能ＰＲＯＭ（ＥＥＰＲＯＭ）、ＦＬＡＳＨメモリ、フロッピー（登録商標）ディスク、コンパクトディスク（ＣＤ）、デジタルバーサタイルディスク（ＤＶＤ）、磁気又は光データ記憶装置、などのような、コンピュータやプロセッサで読み取り可能な媒体に記憶されてもよい。そのコードは、１又は複数のコンピュータやプロセッサにより実行されてもよく、また、コンピュータやプロセッサに、本明細書で説明された機能性のある態様を実行させてもよい。
【００７７】
また、本明細書で開示された実施形態の説明は、当業者が本開示を製造又は使用するのを可能にするために提供される。本開示に対するさまざまな修正は当業者には容易に明白になり、本明細書で定義される一般的原理は、本開示の趣旨又は範囲から逸脱することなく、他のバリエーションに適用可能である。それゆえ、本開示は、本明細書で説明される例及びデザインに限定されるものではなく、本明細書で開示された原理及び新規な特徴に合致する最も広い範囲に認められるべきである。
【符号の説明】
【００７８】
１００  通信端末装置
２００  移動通信網
２０５  交換機
２１０  基地局
３００  固定電話網
４００  通信品質測定システム
４１０  音声通信装置
４１５  データ通信サーバ
４２０  配信・解析サーバ
５００  インターネット
５１０  無線ＬＡＮのアクセスポイント装置
７００  地図表示画面
７１０  地図上の通信端末装置の移動経路
【先行技術文献】
【非特許文献】
【００７９】
【非特許文献１】Ａｃｃｕｖｅｒ株式会社、「無線ネットワーク測定ツール  ＸＣＡＬシリーズ」、［online］、［平成２８年２月２３日検索］、インターネット＜URL：http://www.accuver.jp/products/measurement/xcal.html>
【非特許文献２】Ａｃｃｕｖｅｒ株式会社、「無線ネットワーク解析ツール XCAPシリーズ」、［online］、［平成２８年３月１０日検索］、インターネット＜URL：http://http://www.accuver.jp/products/analysis/xcap.html>
【図１】
0006541592.tif 000005
【図２】
0006541592.tif 000006
【図３】
0006541592.tif 000007